(57)【要約】【課題】カメラ・レンズの何れか一方にしか存在しない機能を実施することを可能にした光学装置を提供すること。【解決手段】カメラ接続手段は、第一の通信方式でカメラとの通信が可能であり、レンズ接続手段は、第一の通信方式とは異なる第二の通信方式でレンズとの通信が可能であり、第一の通信方式と、第二の通信方式を相互に接続するための通信方式を変換することが可能な通信方式変換手段を有し、通信方式変換手段では変換できない、第一の通信方式と、第二の通信方式の何れか一方にしか存在しない通信情報を外部と入出力することを可能にした外部入出力手段を設けたことを特徴とする。【選択図】図１
2016167719.tif 000002
【特許請求の範囲】
【請求項１】
レンズ交換可能なカメラと交換レンズを接続する第一の接続手段でカメラとの接続が可能なカメラ接続手段と、
前記第一の接続手段とは異なる第二の接続手段で交換レンズとの接続が可能なレンズ接続手段と、
を有する変換アダプタ装置において、
前記カメラ接続手段は、第一の通信方式でカメラとの通信が可能であり、
前記レンズ接続手段は、第一の通信方式とは異なる第二の通信方式でレンズとの通信が可能であり、
前記第一の通信方式と、前記第二の通信方式を相互に接続するための通信方式を変換することが可能な通信方式変換手段
を有し、
前記通信方式変換手段では変換できない、前記第一の通信方式と、前記第二の通信方式の何れか一方にしか存在しない通信情報を外部と入出力することを可能にした外部入出力手段を設けたことを特徴とする光学装置。
【請求項２】
前記外部入出力手段で行う入出力を、通信で行うことを特徴とする請求項１に記載の光学装置。
【請求項３】
前記外部入出力手段で行う入出力を、端子状態の変化で確認することを特徴とする請求項１に記載の光学装置。
【発明の詳細な説明】
【技術分野】
【０００１】
本発明は、光学装置に関し、特にカメラとレンズを接続する変換アダプタ装置に関する。
【背景技術】
【０００２】
従来、光学的・電気的に仕様の異なるカメラとレンズを接続するための変換アダプタ装置は、カメラとレンズ各々と接続可能な光学的なマウントと電気的な接点を有している。また、電気的な接点を介してカメラ、レンズの各々から送られてくる通信データを、双方が解読できる通信データに変換して伝えることが可能である。
【０００３】
特許文献１には、カメラ本体より出力される第１の信号形態の制御情報を解読して第２の信号形態の制御信号に変換する手段と、第２の信号形態に変換された制御情報を第２のレンズユニットへと通信する手段とを備えた変換アダプタ装置が開示されている。
【０００４】
特許文献２には、レンズ部における露光制御手段の動作位置情報をカメラ側において判定可能な形態に変換する複数の変換手段と、レンズの固有の情報にもとづいて複数の変換手段を選択する選択手段とを備えた変換アダプタ装置が開示されている。
【先行技術文献】
【特許文献】
【０００５】
【特許文献１】特開平４−２７３６７１号公報
【特許文献２】特開平４−２７３２２９号公報
【発明の概要】
【発明が解決しようとする課題】
【０００６】
しかしながら、上述の特許文献に開示された従来技術では、光学的・電気的に仕様の異なるカメラとレンズの何れかの通信仕様に存在しない機能に関しては、変換アダプタ装置を介して他方に伝えることができない。そのため、カメラ・レンズの何れか一方にしか存在しない機能は、実施することができなくなってしまう。
【０００７】
そこで、本発明の目的は、カメラ・レンズの何れか一方にしか存在しない機能を実施することを可能にした光学装置を提供することにある。
【課題を解決するための手段】
【０００８】
上記の目的を達成するために、本発明は、
レンズ交換可能なカメラと交換レンズを接続する第一の接続手段でカメラとの接続が可能なカメラ接続手段と、
前記第一の接続手段とは異なる第二の接続手段で交換レンズとの接続が可能なレンズ接続手段と、
を有する変換アダプタ装置において、
前記カメラ接続手段は、第一の通信方式でカメラとの通信が可能であり、
前記レンズ接続手段は、第一の通信方式とは異なる第二の通信方式でレンズとの通信が可能であり、
前記第一の通信方式と、前記第二の通信方式を相互に接続するための通信方式を変換することが可能な通信方式変換手段
を有し、
前記通信方式変換手段では変換できない、前記第一の通信方式と、前記第２の通信方式の何れか一方にしか存在しない通信情報を外部と入出力することを可能にした外部入出力手段を設けたことを特徴とする。
【発明の効果】
【０００９】
本発明によれば、カメラ・レンズの何れか一方にしか存在しない機能を実施することを可能にした光学装置の提供を実現できる。
【図面の簡単な説明】
【００１０】
【図１】実施例１を示すブロック図
【図２】実施例１の変換アダプタ部で行う処理の一例を示すフローチャート
【図３】実施例１の変換アダプタ部で行う処理の別の一例を示すフローチャート
【図４】実施例２を示すブロック図
【図５】実施例３を示すブロック図
【図６】実施例３の変換アダプタ部で行う処理の一例を示すフローチャート
【発明を実施するための形態】
【００１１】
以下に、本発明の好ましい実施の形態を、添付の図面に基づいて詳細に説明する。図１は本発明の実施形態にかかわるブロック図である。
【実施例１】
【００１２】
以下、図１を参照して、本発明の第1の実施例の構成を示すブロック図について説明する。
【００１３】
200はカメラ部である。カメラ部200は不図示の交換レンズ接続部が構成されており、交換レンズを接続することで、映像の撮影を行うことが可能である。
【００１４】
211はカメラ演算部である。カメラ演算部211は、映像の撮影、及び映像の撮影のためのレンズへの制御指令や、レンズからの情報取得等を行うことが可能である。
【００１５】
212はカメラ通信部であり、カメラ演算部211に接続されている。カメラ通信部212はカメラ演算部211からの指令を受けて、第一の通信仕様で交換レンズとの通信を行うことが可能である。
【００１６】
213はカメラ外部入出力部であり、カメラ外部入出力部213に接続されている。カメラ外部入出力部213はカメラ演算部211からの指令を受けて、外部機器からの指令・情報の入力や、外部機器への指令・情報の出力を行うことが可能である。
【００１７】
214は録画部であり、カメラ演算部211に接続されている。録画部214は、カメラ演算部211からの指令で撮影した映像を録画することが可能である。
【００１８】
カメラ演算部211、カメラ通信部212、カメラ外部入出力部213、及び録画部214は、カメラ部200に構成されている。
【００１９】
300はレンズ部である。レンズ部300は不図示のレンズ交換式カメラ接続部が構成されており、レンズ交換式カメラを接続することで、映像の撮影を行うことが可能である。
【００２０】
311はレンズ演算部である。レンズ演算部311は、レンズの制御、及び映像の撮影のためのカメラへの制御指令や、カメラからの情報取得等を行うことが可能である。
312はレンズ通信部であり、レンズ演算部311に接続されている。レンズ通信部312はレンズ演算部311からの指令を受けて、第一の通信仕様とは別の第二の通信仕様でレンズ交換式カメラとの通信を行うことが可能である。
【００２１】
313はレンズ外部入出力部であり、レンズ演算部311に接続されている。レンズ外部入出力部313はレンズ演算部311からの指令を受けて、外部機器からの指令・情報の入力や、外部機器への指令・情報の出力を行うことが可能である。
【００２２】
314は録画指令部であり、レンズ演算部311に接続されている。録画指令部314は、レンズ演算部311に対して録画開始・停止の指令を与えることが可能である。
【００２３】
315はレンズ位置検出部であり、レンズ演算部311に接続されている。レンズ位置検出部315は、不図示の映像を撮影するレンズの位置情報を検出することが可能であり、レンズ演算部311はその情報を取得することが可能である。
【００２４】
レンズ演算部311、レンズ通信部312、レンズ外部入出力部313、録画指令部314、及びレンズ位置検出部315は、レンズ部300に構成されている。
【００２５】
今回、カメラ通信部212は第一の通信仕様で交換レンズと通信を行い、レンズ通信部312は第二の通信仕様でレンズ交換式カメラと通信を行うため、カメラ通信部212とレンズ通信部312が相互に通信することは不可能である。
【００２６】
100は変換アダプタ部である。変換アダプタ部はカメラ部200及びレンズ部300に接続することが可能である。
【００２７】
112は通信データ変換部であり、変換アダプタ部100に構成されている。通信データ変換部112は、カメラ通信部212と接続することで、第一の通信仕様を用いて相互に通信を行うことが可能となり、レンズ通信部312と接続することで、第二の通信仕様を用いて相互に通信を行うことが可能となる。また通信データ変換部112は、第一の通信仕様と第二の通信仕様の通信仕様を相互に変換することが可能である。
【００２８】
このように構成することで、変換アダプタ部100を介してカメラ部200とレンズ部300を接続することが可能となる。また、カメラ演算部211からのレンズへの制御指令は、カメラ通信部212から送信され、通信データ変換部112で第二の通信仕様に変換されてレンズ通信部312で受信した後、レンズ演算部311が情報として取得することが可能となる。その逆に、レンズ演算部311からのカメラへの制御指令は、レンズ通信部312から送信され、通信データ変換部112で第一の通信仕様に変換されてカメラ通信部212で受信した後、カメラ演算部211が情報として取得することも可能となる。
【００２９】
113はアダプタ外部入出力部であり、変換アダプタ部100に構成され、通信データ変換部112に接続されている。このような構成にすることにより、通信データ変換部112がカメラ通信部212やレンズ通信部312から受信した通信データは、アダプタ外部入出力部113に指令を与え外部機器に出力することが可能となる。また、通信データ変換部112がアダプタ外部入出力部113を介して外部機器から入力したデータは、変換してカメラ通信部212やレンズ通信部312に送信することが可能となる。アダプタ外部入出力部113は、カメラ外部入出力部213や、レンズ外部入出力部313と接続することが可能であり、相互に指令の入出力を行うことが可能である。
【００３０】
以下、図２のフローチャートを参照して、通信データ変換部112で行う処理の一例に関して説明する。この処理は、通信データ変換部112に格納されたコンピュータプログラムに従って行われる。また通信データ変換処理開始時に、ステップS100の通信データ変換処理が開始され、その後ステップS101に進む。
【００３１】
ステップS101では、レンズ通信部312から第二の通信仕様の通信データを受信する。その後ステップS102に進む。
【００３２】
ステップS102では、レンズ通信部312から受信した通信データが、第一の通信仕様に変換可能かの判断を実施する。変換可能な場合はステップS103に進み、それ以外の場合はステップS105に進む。
【００３３】
ステップS103では、レンズ通信部312から第二の通信仕様で受信した通信データを、第一の通信仕様の通信データに変換する。その後ステップS104に進む。
【００３４】
ステップS104では、カメラ通信部212に対し、第一の通信仕様に変換した通信データを送信し、処理を終了する。
【００３５】
ステップS105では、レンズ通信部312から受信した通信データが、アダプタ外部入出力部113から出力し、外部機器に入力可能かの判断を実施する。可能な場合はステップS106に進み、それ以外の場合はステップS107に進む。
【００３６】
ステップS106では、レンズ通信部312から第二の通信仕様で受信した通信データを、外部入出力部113から出力するよう指令を与え、処理を終了する。
【００３７】
ステップS107では、レンズ通信部312から第二の通信仕様で受信した通信データを破棄し、処理を終了する。
【００３８】
このように処理を行うことで、例えば次のような対応が可能となる。
【００３９】
レンズ演算部311は、録画指令部314から録画開始指令を受けて、レンズ通信部312に録画開始の指示を与える。レンズ通信部312は第二の通信仕様で、通信データ変換部112に録画開始の指令を送信する。この時、第一の通信仕様に録画開始の指令を送信する通信データがある場合、通信データ変換部112は、受信した録画開始の通信データを第一の通信仕様の通信データに変換して、カメラ通信部212に送信する。そして録画開始の指令を受けたカメラ演算部211は録画部214での録画を開始することが可能となる。
【００４０】
しかし、第一の通信仕様に録画開始の指令を送信する通信データがない場合、カメラ通信部212経由でカメラ演算部211に録画開始の指令を与えることができない。この時、アダプタ外部入出力部113を介してカメラ外部入出力部213に録画開始の指令を入力することが可能な場合、通信データ変換部112は、録画開始指令を出力するようアダプタ外部入出力部113に指令を与える。それにより、カメラ演算部211は、カメラ外部入出力部213を介して与えられた録画開始の指令を実行することが可能となる。
【００４１】
以下、図３のフローチャートを参照して、通信データ変換部112で行う処理の別の一例に関して説明する。この処理は、通信データ変換部112に格納されたコンピュータプログラムに従って行われる。また通信データ変換処理開始時に、ステップS120の通信データ変換処理が開始され、その後ステップS121に進む。
【００４２】
ステップS121では、カメラ通信部212から第二の通信仕様の通信データを受信する。その後ステップS122に進む。
【００４３】
ステップS122では、カメラ通信部212から受信した通信データが、第二の通信仕様に変換可能かの判断を実施する。変換可能な場合はステップS123に進み、それ以外の場合はステップS128に進む。
【００４４】
ステップS123では、カメラ通信部212から第一の通信仕様で受信した通信データを、第二の通信仕様の通信データに変換する。その後ステップS124に進む。
【００４５】
ステップS124では、レンズ通信部312に対し、第二の通信仕様に変換した通信データを送信する。その後ステップS125に進む。
【００４６】
ステップS125では、ステップS124で送信した通信データに対する返信データを、第二の通信仕様で受信する。その後ステップS126に進む。
【００４７】
ステップS126では、ステップS125で取得した返信データを、第一の通信仕様の通信データに変換する。その後ステップS127に進む。
【００４８】
ステップS127では、カメラ通信部212に対し、第一の通信仕様に変換した通信データを送信し、処理を終了する。
【００４９】
ステップS128では、カメラ通信部212から受信した通信データが、レンズ外部入出力部313から出力し、外部機器に入力可能かの判断を実施する。可能な場合はステップS129に進み、それ以外の場合はステップS132に進む。
【００５０】
ステップS129では、受信データの返信データに対応するデータを入力するようアダプタ外部入出力部113に指令を与える。その後ステップS130に進む。
【００５１】
ステップS130では、アダプタ外部入出力部113がレンズ外部入出力部313から入力した入力データを取得する。その後ステップS313に進む。
【００５２】
ステップS131では、ステップS130で取得した入力データを、第一の通信仕様の通信データに変換する。その後ステップS127に進む。
【００５３】
ステップS132では、カメラ通信部212から第一の通信仕様で受信した通信データを破棄し、処理を終了する。
【００５４】
このように処理を行うことで、例えば次のような対応が可能となる。
【００５５】
カメラ演算部211は、撮影した映像のレンズ位置情報を映像内に記録することがある。そのため、カメラ通信部212に対してレンズの位置情報を取得するよう指示を与える。カメラ通信部212は第一の通信仕様で、通信データ変換部112にレンズ位置情報の取得を要求する。この時、第二の通信仕様にレンズ位置情報の取得を要求する通信データがある場合、通信データ変換部112は、受信したレンズ位置情報取得の要求を第二の通信仕様の通信データに変換して送信し、レンズ通信部312を介してレンズ演算部311に伝える。
【００５６】
レンズ演算部311は、レンズ位置検出部315からレンズの位置情報を取得し、レンズ通信部312から第二の通信仕様の通信データで送信する。通信データ変換部112は、第二の通信仕様で受信したレンズ位置情報を第一の通信仕様の通信データに変換し、カメラ通信部212に送信する。そしてカメラ演算部211はカメラ通信部212を介してレンズの位置情報を取得し、映像内への記録を行う。
【００５７】
しかし、第二に通信仕様にレンズ位置情報の取得を要求する通信データがない場合、レンズ通信部312経由でレンズ演算部311からレンズの位置情報を取得することができない。この時、アダプタ外部入出力部113を介してレンズ外部入出力部313からレンズの位置情報を取得することが可能な場合、通信データ変換部112は、レンズの位置情報を取得するようアダプタ外部入出力部113に指令を与える。
【００５８】
アダプタ外部入出力部113は、レンズ外部入出力部313を介してレンズ演算部311からレンズ位置情報を取得する。通信データ変換部112はアダプタ外部入出力部113からレンズ位置情報を取得し、第一の通信仕様の通信データに変換した後、カメラ通信部212に送信する。そしてカメラ演算部211はカメラ通信部212を介してレンズの位置情報を取得し、映像内への記録を行うことが可能となる。
【００５９】
以上のように構成することで、カメラ・レンズの何れか一方にしか存在しない機能を実施することが可能となる。
【００６０】
本実施例では、レンズ部300からカメラ部200への制御要求や、カメラ部200からレンズ部300への情報取得要求の処理を示す一例を記載した。また、カメラ部200からレンズ部300への制御要求や、レンズ部300からカメラ部200への情報取得要求等の処理を示す例等は記載していないが、類似の処理を行うことで可能となる。
【００６１】
なお、アダプタ外部入出力部113は、カメラ外部入出力部213やレンズ外部入出力部313等の外部機器とは、ディジタル的なシリアル通信、又はアナログ的な端子の状態変化の確認等で情報の交換を行う。
【実施例２】
【００６２】
以下、図４を参照して、本発明の第２の実施例の構成を示すブロック図について説明する。基本的な構成は実施例１で説明した図１の構成と同じなため、重複する部分に関しては割愛する。
【００６３】
221はカメラ映像出力部であり、カメラ部200に構成される。カメラ映像出力部221はカメラ演算部211に接続されており、撮影した映像を外部に出力することが可能である。
【００６４】
400は映像処理部である。映像処理部400は各種映像の管理を行うことが可能である。
【００６５】
411は映像処理演算部である。映像処理演算部411は、各種映像の管理、及び各種映像の管理のための外部への制御指令や、外部からの情報取得を行うことが可能である。
【００６６】
413は映像処理外部入出力部であり、映像処理演算部411に接続されている。映像処理外部入出力部413は、映像処理演算部411からの指令を受けて、外部機器からの指令・情報の入力や、外部機器への指令・情報の出力を行うことが可能である。また、映像処理外部入出力部は、アダプタ外部入出力部113と接続することが可能であり、相互に指令の入出力を行うことが可能である。
【００６７】
414は録画部であり、映像処理演算部411に接続されている。録画部414は、映像処理演算部411からの指令で撮影した映像を録画することが可能である。
【００６８】
421は映像処理映像入力部であり、映像処理演算部411に接続されている。映像処理演算部411は、映像処理映像入力部421に入力された映像を取得することが可能である。
【００６９】
映像処理演算部411、映像処理外部入出力部413、録画部414、及び映像処理映像入力部421は、映像処理部400に構成されている。
【００７０】
本実施例の処理の一例は、実施例１で説明した図２のフローチャートで示した処理と同様である。
【００７１】
このように処理を行うことで、例えば次のような対応が可能となる。
【００７２】
映像処理演算部411は、映像処理外部入出力部413に対して録画開始の指令の入力を指示することが可能であり、録画開始が指令されると、録画部414を用いて映像の録画を開始する。また、レンズ演算部311は、録画指令部314から録画開始指令を受けて、レンズ通信部312に録画開始の指示を与える。レンズ通信部312は第二の通信仕様で、通信データ変換部112に録画開始の指令を送信する。この時、カメラ部200には録画部は存在していないため、第一の通信仕様に録画開始の指令を送信するデータはないと判断される。そこで、アダプタ外部入出力部113を介して映像外部入出力部413に録画開始の指令を入力することで、映像処理演算部411は録画開始の指令を実行することが可能となる。
【００７３】
以上のように構成することで、カメラ・レンズの何れか一方にしか存在しない機能を実施することが可能となる。
【００７４】
本実施例では、映像処理部400に対して変換アダプタ部100から録画開始の指令を与える処理を一例として示したが、変換アダプタ部100からの録画開始以外の指令や、変換アダプタ部100への要求も、類似の処理で実施することが可能である。また、映像処理部400以外の機器との接続においても、類似の処理を実施することが可能である。
【実施例３】
【００７５】
以下、図５を参照して、本発明の第1の実施例の構成を示すブロック図について説明する。基本的な構成は実施例１で説明した図１の構成と同じなため、重複する部分に関しては割愛する。
【００７６】
500は外付けレンズ駆動部である。外付けレンズ駆動部500は、レンズ部300と接続することが可能であり、外部からの指令を受けてレンズ部300に構成される不図示の映像を撮影する撮影レンズを駆動することが可能である。
【００７７】
以下、図６のフローチャートを参照して、通信データ変換部112で行う処理の一例に関して説明する。この処理は、通信データ変換部112に格納されたコンピュータプログラムに従って行われる。また通信データ変換処理開始時に、ステップS300の通信データ変換処理が開始され、その後ステップS301に進む。
【００７８】
ステップS301では、カメラ通信部212から第一の通信仕様の通信データを受信する。その後ステップS302に進む。
【００７９】
ステップS302では、カメラ通信部212から受信した通信データが、第二の通信仕様に変換可能かの判断を実施する。変換可能な場合はステップS303に進み、それ以外の場合はステップS305に進む。
【００８０】
ステップS303では、カメラ通信部212から第一の通信仕様で受信した通信データを、第二の通信仕様の通信データに変換する。その後ステップS304に進む。
【００８１】
ステップS304では、レンズ通信部312に対し、第二の通信仕様に変換した通信データを送信し、処理を終了する。
【００８２】
ステップS305では、カメラ通信部212から受信した通信データが、アダプタ外部入出力部113から出力し、外部機器に入力可能かの判断を実施する。可能な場合はステップS306に進み、それ以外の場合はステップS307に進む。
【００８３】
ステップS306では、カメラ通信部212から第一の通信仕様で受信した通信データを、外部入出力部113から出力するよう指令を与え、処理を終了する。
【００８４】
ステップS307では、カメラ通信部212から第一の通信仕様で受信した通信データを破棄し、処理を終了する。
【００８５】
このように構成を行うことで、例えば次のような処理が可能となる。
【００８６】
カメラ演算部211はカメラ通信部212にレンズの駆動要求の指示を与える。カメラ通信部212は第一の通信仕様で、通信データ変換部112にレンズの駆動を要求する。この時、レンズ部300にはレンズを駆動部が存在しないため、第二の通信仕様にレンズを駆動する指令はないと判断される。そこで、アダプタ外部入出力部113を介して外付けレンズ駆動部500に駆動の指令を入力することで、撮影レンズを駆動することが可能となる。
【００８７】
本実施例では、外付けレンズ駆動部500に対して変換アダプタ部100から駆動指令を与える処理を一例として示したが、変換アダプタ部100からの駆動指令以外の指令や、変換アダプタ部100への要求も、類似の処理で実施することが可能である。また、外付けレンズ駆動部500以外の機器との接続においても、類似の処理を実施することが可能である。
【００８８】
以上、本発明の好ましい実施形態について説明したが、本発明はこれらの実施形態に限定されず、その要旨の範囲内で種々の変形及び変更が可能である。
【符号の説明】
【００８９】
100  変換アダプタ部、112  通信データ変換部、113  アダプタ外部入出力部
【図１】
2016167719.tif 000003
【図２】
2016167719.tif 000004
【図３】
2016167719.tif 000005
【図４】
2016167719.tif 000006
【図５】
2016167719.tif 000007
【図６】
2016167719.tif 000008